(57)【要約】【課題】引戸の表面を形成する部材によって固定ガイド領域を隠蔽できるようにした引戸の支持装置を提供すること。【解決手段】引戸Ｄの配設位置に対して当該引戸の板厚方向に変位して固定ガイド１１が配置されている。この固定ガイド１１には、当該固定ガイドに沿って移動可能な可動部材１３と、この可動部材１３に固定されて前記板厚方向に持ち出された持ち出し領域を有する引戸保持部材１５が設けられ、この引戸保持部材１５に引戸Ｄの上端部が取り付けられている。引戸Ｄは、一対の表面材５１，５２を含み、固定ガイド１１とは反対側の表面材５２は、固定ガイド１１の取り付け位置となる開口部Ｓの上端縁Ｓ１に接近した位置を上端として隠蔽空間Ｃ１を固定ガイド側に形成し、これによって引戸保持部材１５を含む領域を隠蔽する。【選択図】          図２
2004183229.tif 000002
【特許請求の範囲】
【請求項１】
建物の開口部の上端縁に沿って配置され、前記開口部を開閉する引戸を支持する装置において、
引戸の配設位置から当該引戸の板厚方向に変位させて前記上端縁側に配置された固定ガイドと、この固定ガイドに沿って移動可能な可動部材と、一端側が可動部材に固定されて他端側が前記板厚方向に持ち出された持ち出し領域を有する引戸保持部材とを備え、
前記引戸保持部材の前記持ち出し領域は、前記引戸の上端部に形成された隠蔽空間内に位置する状態で当該引戸に取り付けられていることを特徴とする引戸の支持装置。
【請求項２】
前記引戸は、相互に所定間隔を隔てて配置された一対の表面材を含み、これら表面材の上端部に前記隠蔽空間が形成されていることを特徴とする請求項１又は２記載の引戸の支持装置。
【請求項３】
前記引戸は所定間隔を隔てて相互に略平行に配設された第１及び第２の表面材を含む木製の中空パネルにより構成され、
前記第１の表面材の前記上端縁側端部は、前記持ち出し領域と固定ガイドとの間に位置する一方、前記第２の表面材の前記上端縁側端部は、前記固定ガイドとの間に前記持ち出し領域が介在するように位置し、
前記第２の表面材の上端部は、第１の表面材の上端部位置よりも前記上端縁に近接する大きさに設けられて前記持ち出し領域を隠蔽することを特徴とする請求項１又は２記載の引戸の支持装置。
【発明の詳細な説明】
【０００１】
【発明の属する技術分野】
本発明は引戸の支持装置に係り、特に、引戸を木製としたときに、当該引戸側から支持領域を見えなくすることができ、別途の化粧材（隠蔽材）を設ける必要性を無くしてシンプルな平面を表出させることが可能となる引戸の支持装置に関する。
【０００２】
【従来の技術】
従来より、建物の居住空間を仕切る手段として間仕切りが利用されており、当該間仕切りによって囲まれた室内に出入りするために、間仕切りの一部に開口部を形成して引戸を配置する構成が採用されている。
【０００３】
公知の引戸支持装置しては、開口部の上端縁側にレール等からなる固定ガイドを設ける一方、引戸の上端にブラケットを介して車輪等を取り付け、この車輪等を固定ガイドに引っ掛けるように係わり合わせることによって引戸を移動可能にした構成が知られている。
【０００４】
【発明が解決しようとする課題】
前述した引戸の支持装置にあっては、開口部から固定ガイド付近が視認されるものとなり、外観上の体裁が損なわれるばかりでなく、塵や埃が入り易くなり、引戸の安定した移動の妨げをもたらすという不都合がある。
【０００５】
そこで、本出願人は、固定ガイドを引戸の板厚方向に変位させて配置するとともに、当該固定ガイドに沿って移動可能な可動ブラケットを固定ガイドの外側に持ち出す形状とし、当該持ち出し領域に引戸を支持した状態で引戸の上部と開口縁との間に化粧材を配置した支持装置を提案した（特願２００２−１２７４３７号）。
【０００６】
しかしながら、このような装置においては、引戸の上部に引戸と別部材となる化粧材を必要とするものであり、例えば、木製の引戸を採用した場合には、これとの美観共通性を図る観点から木製の化粧材が必要となってコスト的な不利益を生ずるものとなる。すなわち、引戸と開口部の上端縁との間に化粧材を配置するための固定面をなす部材と、細長い片状の化粧材が必要となる。この点、片状の木質化粧材は、非常に高価となり、反りや変形等も生じ易くて取り扱い性が悪いため、現実には、木質化粧材を用いることには不向きとなる。この場合、比較的成形が容易となるアルミ押出成形品等を代用することも理論上は可能であるが、引戸を木製とした場合には、当該引戸と不釣り合いになる傾向が強く、商品価値を大きく損なうという不都合を招来する。
【０００７】
【発明の目的】
本発明は、このような不都合に着目して案出されたものであり、その目的は、引戸の表面を形成する部材によって固定ガイド領域を隠蔽できるようにし、別途の化粧材を用いる必要性と、当該化粧材の固定面を形成するための部材等を一掃することのできる引戸の支持装置を提供することにある。
【０００８】
【課題を解決するための手段】
前記目的を達成するため、本発明は、建物の開口部の上端縁に沿って配置され、前記開口部を開閉する引戸を支持する装置において、
引戸の配設位置から当該引戸の板厚方向に変位させて前記上端縁側に配置された固定ガイドと、この固定ガイドに沿って移動可能な可動部材と、一端側が可動部材に固定されて他端側が前記板厚方向に持ち出された持ち出し領域を有する引戸保持部材とを備え、
前記引戸保持部材の前記持ち出し領域は、前記引戸の上端部に形成された隠蔽空間内に位置する状態で当該引戸に取り付けられる、という構成を採っている。このような構成とすれば、固定ガイドと引戸との間に位置する引戸支持部材及びこれの周辺領域が隠蔽されるようになる。従って、引戸と開口部の上端縁との間に化粧材を設ける必要性がなくなり、引戸のフラットな面が一様に現われる極めてシンプルな隠蔽構造とすることが可能となる。
【０００９】
【発明の実施の形態】
本発明において、前記引戸は、相互に所定間隔を隔てて配置された一対の表面材を含み、これら表面材の上端部に前記隠蔽空間が形成される、という構成を採ることができる。このように構成すると、表面材の大きさを利用するだけで隠蔽空間が形成できることとなる。
【００１０】
また、前記引戸は所定間隔を隔てて相互に略平行に配設された第１及び第２の表面材を含む木製の中空パネルにより構成され、
前記第１の表面材の前記上端縁側端部は、前記持ち出し領域と固定ガイドとの間に位置する一方、前記第２の表面材の前記上端縁側端部は、前記固定ガイドとの間に前記持ち出し領域が介在するように位置し、
前記第２の表面材の上端部は、第１の表面材の上端部位置よりも前記上端縁に接近する大きさに設けられて前記持ち出し領域を隠蔽する、という構成を採用することが好ましい。
【００１１】
【実施例】
以下、本発明の実施例を図面を参照しながら説明する。
【００１２】
図１には本発明に係る支持装置が適用された間仕切りの正面図が示され、図２には、その縦断面図が示されている。これらの図において、支持装置１０は間仕切りの一部を構成する引戸Ｄの上端側に配置されている。天井Ｈと床Ｆとの間には、ガラス等のパネル材Ｂを組み込んだ非可動部Ｌが配設されており、当該非可動部Ｌと左側の支柱Ｐ１との間に形成される開口部Ｓには、木製の引戸Ｄが位置するように設けられている。この引戸Ｄは、非可動部Ｌの面方向に沿う隣接位置に移動させることによって開口部Ｓを閉塞し、非可動部Ｌに面が重なり合う位置に移動させることによって開口部Ｓを開放する。
【００１３】
支持装置１０は、引戸Ｄの配設位置から当該引戸Ｄの板厚方向に変位して開口部Ｓの上端縁Ｓ１に配置される固定ガイド１１と、この固定ガイド１１を下方より覆うカバー材１２と、前記固定ガイド１１に沿って移動可能に設けられた可動部材１３と、この可動部材１３に一端側が固定されるとともに、他端側が前記板厚方向に向かってカバー材１２の外側に持ち出された引戸保持部材１５とを備えて構成されている。固定ガイド１１とカバー材１２は、図１中左側の支柱Ｐ１と右側の支柱Ｐ２との間に直線状に延びて配設されている。この際、支柱Ｐ１，Ｐ２間には、非可動部Ｌの開口部側端部を形成する中間支柱Ｐ３が介在するが、図５に示されるように、中間支柱Ｐ３は引戸Ｄの板厚方向に沿って退避した幅若しくは大きさに設定され、これにより、引戸Ｄの開閉に支障が生じないように保たれている。
【００１４】
前記固定ガイド１１は、図１中左右の支柱Ｐ１，Ｐ２間に延びる長尺部材により構成されている。この固定ガイド１１は、図３及び図４に示されるように、開口部Ｓの上端縁Ｓ１に固定されるベース部材２０と、このベース部材２０に固定されるレール部材２１とからなる。ベース部材２０は、上面側がリブ形状に設けられて前記上端縁Ｓ１すなわち天井Ｈにねじ２２を介して固定される固定面２３と、この固定面２３の短寸幅方向（図４中左右方向）一端側から下向きに延びる垂下部２４とからなり、側端面形状が略Ｌ字状をなす形状に設けられている。垂下部２４の内面側には、図４中紙面直交方向に沿って延びる溝２４Ａが形成されており、この溝２４にレール部材２１が受容された状態で、当該レール部材２１がねじ２６によって垂下部２４に固定されている。レール部材２１は、その上面及び下面側が凹んだ形状に設けられ、これら上下の各凹んだ領域を垂下部２４の反対側から抱き込むような状態で、断面形状が逆Ｃチャンネル状をなす可動部材１３が移動可能に取り付けられている。
【００１５】
前記カバー材１２は、前記垂下部２４、可動部材１３及び引戸保持部材１５の一端側となる基端側を覆う上向き開放形状の長尺部材により構成されている。このカバー材１２は、固定ガイド１１の垂下部２４をカバーする外側カバー面２８と、この外側カバー面２８の下端部から内方に延びて前記可動部材１３の下方を横切る下カバー面２９と、この下カバー面２９の内方端から上下方向に向けられた内側カバー面３０と、当該内側カバー面３０の下端から外側に向けられた下底壁３１とにより構成されている。外側カバー面２８は、その上端側に凹部２８Ａが設けられており、当該凹部２８Ａ内に挿入されるねじ３２によってカバー材１２がベース部材２０に固定されている。ここで、凹部２８Ａは、キャップ２７によって閉塞される。また、内側カバー面３０の上端位置は、前記可動部材１３の上端面位置と略同一平面上に設けられているとともに、前記ベース部材２０の固定面２３との間に、引戸支持部材１５の持ち出し隙間Ｃを形成するようになっている。
【００１６】
前記カバー材１２において、下カバー面２９の下面外側領域には、外面側が前記カバー材１２と共に化粧面として機能し得るパネル保持部材３３が着脱可能に設けられている。このパネル保持部材３３は、前記下底壁３１と相互に作用して非可動部Ｌを形成するパネルＢの上端部を挟み込んで当該パネルＢを保持するように設けられている。この際、パネル保持部材３３と下底壁３１との間には、弾性材料からなるパッキン部材３５が設けられ、このパッキン部材３５に形成されたスロット３５Ａ（図３参照）にパネルＢの上端部が差し込まれるようになっている。なお、スロット３５Ａは、パネルＢを差し込む領域にのみ形成されており、支柱Ｐ１，Ｐ３間にはスロットのない平面が表出することとなる。
【００１７】
前記可動部材１３は、図３に示されるように、複数個用いられており、これらの可動部材１３は引戸保持部材１５にねじ３７で一体化されている。この引戸保持部材１５は、可動部材１３の内側面（図４中右側面）に接してねじ３７によって固定される基部片４０と、この基部片４０の上端に連なって前記持ち出し隙間Ｃ内を横方向に延びて持ち出し領域の一部を構成する迂回片４１と、この迂回片４１の先端から下方に向けられるとともに、前記基部片４０と略平行に延びて迂回片４１の一部と共に持ち出し領域を構成する支持片４３と、この支持片４３にボルト４５及びナット４６からなる締結具４７を用いて連結されたＬ字状のブラケット４８とにより構成されている。
【００１８】
前記基部片４０、迂回片４１、支持片４３及びブラケット４６は、図４中紙面直交方向に延びる長尺状をなし、引戸Ｄの開閉方向幅に略対応する長さを備えて構成されている。ここで、支持片４３の上下方向長さは、基部片４０の上下方向長さよりも長く、且つ、前記カバー材１２における下底壁３１の平面高さ位置に近い部分まで延びる長さに設定されている。
【００１９】
前記ブラケット４８は、その平面部４８Ａの面内に複数の穴４６Ｂが形成されており、この穴４８Ｂに上方より挿入されるボルト４９と引戸Ｄの上端に位置するフレーム５０の下面に固定さされたナット５３とを用いて引戸Ｄの上端部に連結されている。引戸Ｄは、フレーム枠５０が中間に位置して相互に所定間隔を隔てて略平行に配設された第１及び第２の木製の表面材５１，５２により構成されている。第１の表面材５１は、その上端面５１Ａが引戸支持部材１５の支持片４３の下端側と前記カバー面３０の下部側との間に位置するようになっている。この一方、第２の表面材５２は、その上端面５２Ａが開口部Ｓの上端縁Ｓ１に極めて接近して隙間を感じさせることが殆どない大きさに設けられている。ここにおいて、前記第１の表面材５１の上部と第２の表面材５２の上部との間に、前記持ち出し領域の隠蔽空間Ｃ１が形成されている。
【００２０】
なお、非可動部Ｌにおいて、パネルＢの下端部は、床Ｆ上に敷設されたフレーム５５に固定されている一方、引戸Ｄの下端部は、下向き凹部５６とされ、当該下向き凹部５６内には、床Ｆに起立配置された軸５７の上部で水平面内を回転可能なコロ５８が収容されている。
【００２１】
次に、前記実施例における支持装置１０の組み立て要領について説明する。
【００２２】
始めに、ベース部材２０の垂下部２４にレール部材２１を固定した状態で、前記ベース部材２０を開口縁Ｓ１に固定する。この際、レール部材２１には、その端部から可動部材１３を差し込んで、当該可動部材１３をレール部材２１に保持させておくとよい。
【００２３】
次いで、可動部材１３に引戸支持部材１５の基部片４０をねじ３７で固定し、当該引戸支持部材１５が可動部材１３と共に、レール部材２１に沿って移動可能となるように設ける。そして、予め成形された引戸Ｄの上部フレーム５０の上端面にライナー６０を介してブラケット４８をボルト４９で固定し、ブラケット４８を引戸支持部材１５の支持片４３に重ね合わせた状態で締結具４７にて相互に締結する。これにより、引戸Ｄは、固定ガイド１１に沿って開口部Ｓを開閉する方向に移動可能となる。
【００２４】
このようにして引戸Ｄの保持を完了した状態で、固定ガイド１１回りにカバー材１２を下方より覆うように被せ、ねじ３２にてカバー材１２を固定ガイド１１に取り付ける。そして、カバー材１２における下カバー面２９にパネル保持部材３３を嵌め込み、当該パネル保持部材３３と下底壁３１との間にパッキン部材３５を嵌合させる。この状態で、パネルＢの上端部をパッキン部材３５のスロット３５Ａに差し込み、パネルＢの下端を床Ｆのフレーム５５に受容させて非可動部Ｌを構築することができる。
【００２５】
従って、このような実施例によれば、引戸支持部材１５が持ち出し隙間Ｃ１を通じて引戸Ｄの板厚方向に沿って固定ガイド１１の側方に位置するとともに、カバー材１２を固定ガイド１１に取り付ける前の段階で引戸支持部材１５と引戸Ｄとを相互に連結できる構成としたから、第１及び第２の表面材５１，５２との間に隠蔽空間Ｃ１を形成しつつ第２の表面材５２を開口縁Ｓ１に限りなく近接する位置まで延ばす設計が可能となり、当該第２の表面材５２を一枚のフラットな面として引戸Ｄを構成することができ、引戸支持部材１５及びこれの周辺領域を効果的に隠蔽することが可能となる。しかも、第２の表面材５２は、その上端面５２Ａが開口Ｓの上端縁Ｓ１に非常に接近した構造となるため、上端縁Ｓ１との間に隙間を殆ど生じさせることがなく、一枚の壁面を形成するような外観上の体裁を得ることもできる。
【００２６】
なお、本発明を実施するための最良の構成、方法などは、以上の記載で開示されているが、本発明は、これに限定されるものではない。
すなわち、本発明は、主に特定の実施例に関して特に図示し、且つ、説明されているが、本発明の技術的思想及び目的の範囲から逸脱することなく、以上に述べた実施例に対し、形状、位置、材料、数量、その他の詳細な構成において、当業者が様々な変形を加えることができるものである。
従って、上記に開示した形状、位置、材質などを限定した記載は、本発明の理解を容易にするために例示的に記載したものであり、本発明を限定するものではないから、それらの形状、位置などの限定の一部若しくは全部の限定を外した部材の名称での記載は、本発明に含まれるものである。
【００２７】
例えば、前記実施例では、引戸支持部材１５が、引戸Ｄの上端に取り付けられたＬ形のブラケット４８に締結具４７を介して連結される構造としたが、引戸支持部材１５がブラケット４８を一体に備えた略クランク形の部材として構成することもできる。また、第１の表面材５１は、カバー材１２の下底壁３１よりも僅かに上方位置を上端としたが、前述した締結具４８を構成するボルト４５との位置的な干渉がない状態で、更に上方に延長させる長さとすることもできる。また、第１及び第２の表面材５１，５２は、木製材料によって成形された場合を示したが、他の材料による表面材とすることを妨げない。
【００２８】
【発明の効果】
以上説明したように、本発明によれば、固定ガイドと引戸との間に位置する引戸支持部材及びこれの周辺領域を隠蔽することができ、引戸と開口部の上端縁との間に化粧材を設ける必要性を一掃して引戸のフラットな面を一様に表出させた従来にない優れた隠蔽構造となる引戸の支持装置を提供することができる。
【図面の簡単な説明】
【図１】本実施例が適用された間仕切りの正面図。
【図２】図１のＡ−Ａ線に沿う矢視拡大断面図。
【図３】支持装置の要部分解斜視図。
【図４】図２の上部領域を示す拡大断面図。
【図５】図１の拡大横断面図。
【符号の説明】
１０  支持装置
１１  固定ガイド
１２  カバー材
１３  可動部材
１５  引戸支持部材
４０  基部片
４１  迂回片（持ち出し領域）
４３  支持片（持ち出し領域）
５１  第１の表面材
５２  第２の表面材
Ｃ１  隠蔽空間
Ｄ  引戸
Ｓ  開口部
Ｓ１  上端縁
【図１】
2004183229.tif 000003
【図２】
2004183229.tif 000004
【図３】
2004183229.tif 000005
【図４】
2004183229.tif 000006
【図５】
2004183229.tif 000007